(57)【要約】【課題】適正長さに設定したトップリンクの一端に作業機側上部ブラケットの連結ピンを簡単に軸着できるようにする。【解決手段】一側トラクタ上部ブラケットの軸着ピン孔を形成したリンクフレームの他側に、上辺係止フック部を設けたストッパープレートを一体固定し、重合したリンクフレームとストッパープレートに軸方向の長孔と支点ピン孔を貫設し、この支点ピン孔にロックブラケットの回動支点ピン孔に装着した回動支点軸を回動可能に軸着する。ロックブラケットは前方の前記長孔先端へ回動してピン孔を形成する押圧係止部を有するとともに、上方へ回動したときにストッパープレートの上辺フック係止部に係合する傾斜長孔間の係止ピン有し、さらに、ロックブラケットのばね係止ロッドとリンクフレーム間には、ロックブラケットの押圧係止部を長孔先端側へ付勢する引張りばねが架設されている。【選択図】図１
2013255468.tif 000002
【特許請求の範囲】
【請求項１】
トラクタ前方上部ブラケット（６）と農作業機側上部ブラケット（７）間に架設され、トラクタ（１）前方にアップ・ダウン装置を介して連結した農作業機（３）の回動支点を規制するトップリンク（８）であって、一側にトラクタ側上部ブラケット（６）の軸着ピン孔（１０）を形成したフレームの他側に農作業機側上部ブラケット（７）の連結ピン（１２）を軸着する軸方向のリンク長孔（１３ａ）を形成し、その後方にリンク支点ピン孔（１４ａ）を形成したリンクアーム（１１）と；上部後端に係止フック部（１５）を有するプレート（１６）に前記リンクアーム（１１）の長孔（１３ａ）と支点ピン孔（１４ａ）に対応する長孔（１３ｂ）と支点ピン孔（１４ｂ）を形成し、これら相互の長孔（１３ａ），（１３ｂ）及び支点ピン孔（１４ａ），（１４ｂ）の位置を合わせて前記リンクアーム（１１）の左右側面に一体固設したストッパープレート（１７）と；前方端に押圧係止部（１８）を形成したロックプレート（１９）の後部中央を回動支点ピン孔（２０）に装着した回動支点軸（２１）を介して前記左右ストッパープレート（１７），（１７）の左右両側に軸着するとともに、左右ロックプレート（１９），（１９）の回動支点ピン孔（２０）の上方に形成した傾斜長孔（２３），（２３）、に係止ピン（２４）を装着し、左右ロックプレート（１９），（１９）の下部をばね係止ロッド（２５）で結合したロックブラケット（２６）と；先端を前記ロックブラケット（２６）のばね係止ロッド（２５）に係止させ、後端を前記リンクアーム（１１）の下面に係止させた引っ張りばね（２７）と；を具備することを特徴とするトップリンク構造
【発明の詳細な説明】
【技術分野】
【０００１】
本発明はトラクタ前方の上部ブラケットと農作業アタッチメントの支持バー上部ブラケトを連結するトップリンクの改良に関する。
【背景技術】
【０００２】
トラクタ前方に農作業アタッチメント（以下、作業機」という）を上下回動可能に取付けて使用する装置は、トラクタ前方のベースブラケットに前記作業機の支持横バーを上下回動可能に支持する連結装置を取付けるとともに、連結装置と作業機の回動上死点と下死点(回動範囲)を規制するためにトラクタ側上部ブラケットと作業機側支持横バーの上部ブラケット間にトップリンクが軸着されている。
このトップリンクは連結装置を上方へ回動させた時に作業機ができるだけ高い位置でトラクタ前方に衝突しない範囲でできるだけ接近し、他方、下方へ回動させた時に作業機が地面に対して水平に接地するように規制して長さを設定することが望ましく、長すぎても短すぎても上記の規制を適正に行うことはできない。
【先行技術文献】
【特許文献】
【０００３】
【特許文献１】特開平８−２２８５０４号公報
【発明の概要】
【発明が解決しようとする課題】
【０００４】
ところが、トップリンクの長さを適正に設定した状態で先端ピン孔と作業機側上部ブラケットのピン孔を軸着しようとすると、相互のピン孔の位置合わせが困難で軸着に多大な注意と労力を必要とし、危険がともなっていた。
【０００５】
この問題を解決するためにトップリンクにターンバックル部を設け、伸縮させながら位置決めすることも採用されている。しかし、この方式は位置合わせの困難性は軽減されるが、軸着した後にターンバックルを適正長さに修正する必要があり作業が二度手間になる。
【０００６】
したがって本発明の目的は、トップリンクを適正長さに設定したままで作業機側上部ブラケットへの軸着を容易にしたトップリンク構造を提供することにある。
【課題を解決するための手段】
【０００７】
上記目的を達成するために本発明のトップリンク構造は、トラクタ前方上部ブラケットと農作業機側上部ブラケット間に架設され、トラクタ前方にアップ・ダウン装置を介して連結した農作業機の回動死点を規制するトップリンクであって、一側にトラクタ側上部ブラケットの軸着ピン孔を形成したフレームの他側に農作業機側上部ブラケットの連結ピンを軸着する軸方向のリンク長孔を形成し、その後方にリンク支点ピン孔を形成したリンクアームと；上部後端に係止フック部を有するプレートに前記リンクアームの長孔と支点ピン孔に対応する長孔と支点ピン孔を形成し、これら相互の長孔及び支点ピン孔の位置を合わせて前記リンクアームの左右側面に一体固設したストッパープレートと；前方端に押圧係止部を形成したロックプレートの後部中央を回動支点ピン孔に装着した回動支点軸を介して前記左右ストッパープレートの左右両側に軸着するとともに、左右ロックプレートの回動支点ピン孔の上方に形成した傾斜長孔、に係止ピンを装着し、左右ロックプレートの下部をばね係止ロッドで結合したロックブラケットと；先端を前記ロックブラケットのばね係止ロッドに係止させ、後端を前記リンクアームの下面に係止させた引っ張りばねと；を具備することを特徴とする。
【発明の効果】
【０００８】
本発明のトップリンクは上記のように構成したので、一端をトラクタ前方の上部ブラケットに軸着したトップリンクの他端に作業機側上部ブラケットのトップリンクピンを装着する際、ロックブラケットを上方へ回動させて係止ピンをストッパープレートの後端係止フック部に係止させるとロックブラケットがアンロック位置に保持され、トップリンクの長孔が解放されて受け入れエリアが広がるので作業機側上部ブラケットのトップリンクピン受け入れが容易になる。
長孔に受け入れたトップリンクピンを長孔に沿って先端に係合させた状態で前記係止ピンを傾斜長孔の上方へ引くと引っ張りばねとばね係止ロッドによりロックブラケットが下方へ回動し押圧係止部によりピンが一点位置に自動的に係着される。
【図面の簡単な説明】
【０００９】
【図１】本発明によるトップリンク構造の斜視図
【図２】図１のトップリンク構造を分解した部品構成図
【図３】本発明によるトップリンクの作用説明図
【図４】トップリンクを使用した農作業機の連結説明図
【発明を実施するための形態】
【００１０】
以下、本発明の実施例を添付の図面に基づいて説明する。
図１は、トラクタ１のベースブラケット２と農作業アタッチメント３（図では培土器を使用。以下作業機という)間に油圧シリンダ４などで上下回動される連結装置５を装着し、トラクタ側上部ブラケット６と作業機側上部ブラケット７間にトップリンク８を架設した状態で作業機アタッチメント３を保管台９に支持させた状態を示すもので、一般にトップリンク８の先端側と作業機側ピンの係着はこの状態で行われる。
【００１１】
本発明のトップリンク構造は、図１及び図２に示すように、一側にトラクタ側上部ブラケット６を取付ける軸着ピン孔１０を形成したリンクアーム１１を有し、リンクアーム１１の他側には作業機側上部ブラケット７の連結ピン１２を軸着する軸方向の長孔１３ａを形成するとともに、その後方に後述するロックブラケット２６のロックプレート１９を回動可能に軸支する支点ピン孔１４ａを形成してある。
【００１２】
前記リンクアーム１１の先端側には左右対のストッパープレート１７，１７が固定されている。
ストッパープレート１７は、上方へ突出させた上部後端に係止フック部１５を有するとともに、プレート１６長手方向に沿って前記リンクアーム１１の長孔１３ａと支点ピン孔１４ａに対応する長孔１３ｂ支点ピン孔１４ｂを形成してなり、リンクアーム１１とストッパープレート１７の相互の長孔１３ａ，１３ｂ及び支点ピン孔１４ａ，１４ｂが合致するようにして前記リンクアーム１１の左右側面に対をなして一体固設されている。
【００１３】
リンクアーム１１は前記左右ストッパープレート１７の左右側面にさらにロックブラケット２６が係着されている。
ロックブラケット２６は、前方端に押圧係止部１８を形成したロックプレート１９の後部中央に回動支点ピン孔２０を設け、この回動支点ピン孔２０に装着した回動支点軸２１を前記左右ストッパープレート１７の支点ピン孔１４ｂとリンクアーム１１の支点ピン孔１４ａに通して回動可能に軸着されているとともに、左右ロックプレート１９，１９の回動支点ピン孔２０上方に形成した傾斜長孔２３，２３間に係止ピン２４を装着し、さらに、左右ロックプレート１９，１９の下部をばね係止ロッド２５で一体結合してある。
ロックプレート１９の前記押圧係止部１８はロックブラケット２６をストッパープレート１７とリンクアーム１１の長孔１３ｂ，１３ａへ回動させた時に、長孔に挿入された作業機側連結ピン１２を長孔端部に押圧して係止（ロック）させる寸法・形状に設計されている。
また、傾斜長孔２３，２３間の係止ピン２４は傾斜長孔２３に沿って上下動可能に嵌装されており、ロックブラケット２６の押圧係合部１８を上方へ回動させた時に、傾斜長孔２３内の係止ピン２４がストッパープレート１７の上辺係止フック部１５に係着してロックブラケット２６の押圧係止部１８がアンロック位置に保持されるようになっている。
【００１４】
ロックプレート１９，１９のばね係止ロッド２５には後端フック２７ａを前記リンクアーム１１の下面に係止させた引張りばね２７の前端フック２７ｂが係着されており、引張りばね２７でロックブラケット２６の押圧係止部１８がピン係止位置に付勢されるようになっている。
【００１５】
図中、符号２８はボルト、符号２９はナット、符号３０は座金をそれぞれ示している。
【産業上の利用可能性】
【００１６】
本発明のトップリンク構造は、あらかじめ適正に設定した長さのトップリンクに作業機側上部ブラケットのピンを長孔に挿入してロックブラケットの軸着位置に係止できるので、容易かつ安全に連結することができ、作業能率が向上する。
【符号の説明】
【００１７】
１…トラクタ
２…ベースブラケット
３…農作業アタッチメント
４…油圧シリンダ
５…連結装置
６…トラクタ側上部ブラケット
７…作業機側上部ブラケット
８…トップリンク
９…保管台
１０…軸着ピン孔
１１…リンクアーム
１２…連結ピン
１３ａ、１３ｂ…長孔
１４ａ、１４ｂ…支点ピン孔
１５…係止フック部
１６…プレート
１７…ストッパープレート
１８…押圧係止部
１９…ロックプレート
２０…回動支点ピン孔
２１…回動支点軸
２３…傾斜ピン孔
２４…係止ピン
２５…ばね係止ロッド
２６…ロックブラケット
２７…引張りばね
２７ａ…後端フック
２７ｂ…前端フック
２８…ボルト
２９…ナット
３０…座金
【図１】
2013255468.tif 000003
【図２】
2013255468.tif 000004
【図３】
2013255468.tif 000005
【図４】
2013255468.tif 000006